【事件の表示】
　特許第３１４５９０３号「フロアパネルの接続器の取付け構造」の請求項１、２に係る特許に対する特許異議の申立てについて、次のとおり決定する。
【結　論】
　訂正を認める。
　特許第３１４５９０３号の請求項１、２に係る特許を維持する。
【理　由】
第１．手続の経緯
　本件特許第３１４５９０３号の請求項１、２に係る発明についての出願は、平成７年７月６日にした特許出願(特願平７−１７０９６１号)の一部を分割し、平成７年８月２８日に新たな特許出願(特願平７−２１９１４５号)としたものであって、平成１３年１月５日にその発明についての特許権の設定登録がなされた。
　その後、平成１３年６月６日に特許異議申立人より、全請求項について、異議の申立てがされ、取消理由通知がなされ、その指定期間内である平成１４年５月７日に意見書の提出とともに訂正請求がされたものである。
　　　　　　　　
　　　　　　　　
第２．訂正の適否についての判断
１．訂正の内容
　特許権者が求めている訂正の内容は、以下の訂正事項ａ〜ｎのとおりである。
　　　　　　　　　　
　訂正事項ａ．段落【０００２】を、
「【発明が解決しようとする課題】本発明は、フロアパネルにおいて、フロアパネルを構成するブロックと接続器が取付けられる接続器取付けベースとの間に互換性を持たせることを課題とする。」と訂正する。
　訂正事項ｂ．段落【０００７】を削除する。
　訂正事項ｃ．段落【０００８】を、
「フロアパネル１は、図１に示すように、四隅に配置される平板ブロック７と、中央の十字型部分に配置される配線用溝３を有するクロスブロック８及びストレートブロック９とで構成され、各ブロック７〜９の上端縁が薄肉部１０を介して互いに連設されている。尚図１では４枚の平板ブロック７と１枚のクロスブロック８と４枚のストレートブロック９とでフロアパネル１が構成されているが、これに限らず、多数のブロック７〜９が縦横格子状に並設されるものであってもよい。」と訂正する。
　訂正事項ｄ．段落【０００９】を、
「上記クロスブロック８及びストレートブロック９の各配線用溝３の上方の開□には、図２に示す溝カバー１１が着脱自在に装着される。溝カバー１１は、クロスブロック８に対応するクロスカバー１１Ａと、ストレートブロック９に対応するストレートカバーｌＩＢとからなっている。」と訂正する。
　訂正事項ｅ．段落【００１０】〜【００１６】を削除する。
　訂正事項ｆ．段落【００１７】を、
「本発明の実施の形態として、フロアパネル１を構成する各ブロック７〜９のいずれかと入れ替え可能な接続器取付けベース４Ａを説明する。」と訂正する。
　訂正事項ｇ．段落【００１８】を、
「図３に示すように、フロアパネル１を構成する平板ブロック７、クロスブロック８、及びストレートブロック９は、図１の場合と同様であり、各ブロック７〜９は夫々同じ大きさを有しており、一方、接続器取付けベース４Ａは、接続器１３を取付ける取付孔１７を有すると共に、接続器取付けベース４Ａの外形は、各ブロック７〜９の外形と同じ大きさとなっており、各ブロック７〜９と接続器取付けベース４Ａとの間で互換性を持たせてある。つまり、平板ブロック７は天板７ａの下面四隅に脚部７ｂが垂設されて構成され、ストレートブロック９は、上方に開口した配線用溝３の両側に脚部９ａが立設されて構成され、クロスブロック８は、上方に開□した配線用満３の周辺４隅に脚部８ａが立設されて構成され、各ブロック７〜９の表面部は夫々同一高さに設定してある。一方、接続器取付けベース４Ａは天板４ｂの下面両側に脚部４ｃが垂設されて構成され、この脚部４ｃは各ブロック７〜９の脚部７ｂ，８ａ，９ａと同じ突出高さに設定され、さらに接続器取付けベース４Ａの平面視外形寸法は各ブロック７〜９を平面視外形寸法と同一に設定されており、各ブロック７〜９のいずれか１ブロックと接続器取付けベース４Ａとが自由に入れ替え可能な構造となっている。またフロアパネル１の各ブロック７〜９は薄肉部１０を介して互いに連設されているので、いずれかのブロック７〜９を取外す際には薄肉部１０に沿って簡単に切断できるので、接続器取付けベース４Ａとの入れ替えが容易となる。」と訂正する。
　訂正事項ｈ．段落【００１９】を、
「また接続器取付けベース４Ａの中央には、接続器１３が取付け可能な取付孔１７が設けられており、この取付孔１７に取付けられる接続器１３は、図４に示すように、床用コンセント１２と、この床用コンセント１２が取付けられる本体１５と、この本体１５の上部開口を開閉する蓋１６ａ付きプレート１６とから成る。また、接続器取付けベース４Ａは、図５（ａ）に示すように、ネジ３１にて床スラブに固定されるようになっているが、これに代えて、図５（ｂ）に示すように、接続器取付けベース４Ａの外側面に周囲のブロック７〜９との間隔を保つための間隔保持手段４０を構成するリブ４０ａを突設してもよい。このリブ４０ａは、図６に示すように、ブロック７〜９のいずれかを取外した空間に接続器取付けベース４Ａを蕨入させたとき、周囲のブロック７〜９の脚部の側面に当接してブロック７〜９と接続器取付けベース４Ａとの間の間隔を一定に保つものであり、更に周囲のブロック７〜９の上部側端部の下面に掛合して接続器取付けベース４Ａをブロック７〜９に対して固定する働きをするものであり、隣接するブロックとの緩衝を防止しつつ、ネジが不要で、簡易に接続器取付けベース４Ａを固定できるものである。」と訂正する。
　訂正事項ｉ．段落【００２０】を、
「尚、接続器取付けベース４Ａの取付孔１７の周辺四隅に図８（ａ）に示すように、カーペット２０ａの切断位置決め用の突起５を突設させ、切断治具６を図７に示すように、突起５間に位置決め保持できるようにし、且つ図９に示すように、切断治具６を用いない場合にはカーペット２０ａの裏面に突起５の跡形５ａを転写させ、この跡形５ａに沿ってカーペット２０ａを切断できるようにした。また、図８（ｂ）に示すように、接続器取付けベース４Ａの取付孔１７の四隅に加えて四隅をつなぐ直線部にも突起５を追加してもよく、この場合、図１０（ａ）（ｂ）又は（ｃ）のように突起５による跡形５ａが増え、複数枚にわたるカーペット２０ａの切断が容易となる。」と訂正する。
　訂正事項ｊ．段落【００２１】を、
「しかして、接続器取付けベース４Ａは、フロアパネル１の各ブロック７〜９と互換性があるので、フロアパネル１のあらゆる箇所に接続器取付けベース４Ａを取付けることができ、フロアパネル１のどの箇所にも床用コンセント１２の取付けができると共に、レイアウト変更が自由自在に行えるものである。しかも、各ブロック７〜９と互換性がある接続器取付けベース４Ａに設けられる取付孔１７は、共通の接続器１３を使用でき、施工現場での部品の着脱等に即応できると共に、製造時においては、部品の共通化及び構造の共通化ができ、部品の在庫が減り、製造工程の合理化を図ることができる。しかも、各ブロック７〜９と互換性のある接続器取付けベース４Ａは床スラブに載置される脚部４ｃを備えているので、従来のような下方に脚部が突出し、表面側に配線用溝３が凹設された置き敷きタイプのフロアパネルにも広く適用可能である。そのうえ配線はフロアパネル１の配線用溝３内に納められているので、接続器取付けベース４Ａをフロアパネル１の各ブロック７〜９の一部に組込んだ場合でも、接続器取付けベース４Ａの脚部４ｃで配線を踏みつける心配がなく、レイアウト変更を安全に行えるという利点がある。」と訂正する。
　訂正事項ｋ．段落【００２２】〜【００２６】を削除する。
　訂正事項１．【図面の簡単な説明】を、
「【図１】本発明の実施の一形態を説明するフロアパネルの斜視図である。
【図２】（ａ）はクロスカバーの斜視図、（ｂ）はストレートカバーの斜視図である。
【図３】本発明の実施の形態を説明する分解斜視図である。
【図４】（ａ）〜（ｃ）は同上の接続器及び接続器取付けベースの取付け状態を説明する斜視図である。
【図５】（ａ）は同上の接続器取付けベースの床スラブへの取付け状態を説明する斜視図、（ｂ）は他の取付け状態を説明する斜視図である。
【図６】図５（ｂ）の接続器取付けベースの取付け状態を説明する側面図である。
【図７】（ａ）（ｂ）は同上の切断治具の取付け状態を説明する斜視図である。
【図８】（ａ）は同上の接続器取付けベースの突起を説明する斜視図、（ｂ）は突起を追加した場合を説明する斜視図である。
【図９】（ａ）（ｂ）（ｃ）は同上のカーペットの切断方法を説明する斜視図である。
【図１０】（ａ）（ｂ）は同上のカーペットの切断方法を説明する斜視図、（ｃ）は他の切断方法を説明する斜視図である。」と訂正する。
　訂正事項ｍ．添付図面の
「図１」、「図４」〜「図９」、「図１８」〜「図２４」を削除し、
「図２」を「図１」と訂正し、「図３」を「図２」と訂正し、「図１０」を「図３」と訂正し、「図１１」を「図４」と訂正し、「図１２」を「図５」と訂正し、「図１３」を「図６」と訂正し、「図１４」を「図７」と訂正し、「図１５」を「図８」と訂正し、「図１６」を「図９」と訂正し、「図１７」を「図１０」と訂正する。
　訂正事項ｎ．訂正後の添付図面「図３」におけるストレートブロック９の脚部の符号「８ａ」を「９ａ」と訂正し、平板ブロック７の脚部の符号「８ａ」を「７ｂ」と訂正し、クロスブロック８の脚部の符号「９ａ」を「８ａ」と訂正する。
　　　　　　　　　　　　　　　　　
２．訂正の目的の適否、新規事項の有無及び拡張・変更の存否
　訂正事項ａ〜ｎは、明りょうでない記載の釈明を目的とするものであり、また、訂正事項ｇ、ｎにおける脚部の符号の訂正の部分は、本件出願の願書に最初に添付した明細書の段落【００１８】の「・・各ブロック７〜９の脚部７ｂ，８ａ，９ａと・・」に根拠があり、誤記の訂正を目的とするものであると認める。
　また、訂正事項ａ〜ｎは、いずれも、新規事項の追加に該当せず、かつ実質上特許請求の範囲を拡張し又は変更するものではない。
　　　　　　　
３．むすび
　したがって、上記訂正は、特許法１２０条の４第２項および同条３項において準用する同法１２６条２項から４項までの規定に適合するので、当該訂正を認める。
　　　　
　　　　
第３．特許異議申立てについて
１．本件発明
　本件請求項１、２に係る発明は、特許明細書及び図面の記載からみて、その特許請求の範囲の請求項１、２に記載された事項により特定される次のとおりのものである。
「【請求項１】四隅に配置された平板ブロックと、中央の十字型部分に配置される配線用溝を有するクロスブロック及びストレートブロックとで構成されて成るフロアパネルであって、平板ブロック、クロスブロック及びストレートブロックは夫々同じ大きさを有しており、表面に接続器を取付ける取付孔が設けられている接続器取付けベースの外形が、上記各ブロックの外形と同じ大きさとなっており、上記各ブロックのいずれか１ブロックと接続器取付けベースとが入れ替え可能となっていることを特徴とするフロアパネルの接続器の取付け構造。
　【請求項２】フロアパネルの各ブロックは薄肉部を介して互いに連設されていることを特徴とする請求項１記載のフロアパネルの接続器の取付け構造。」（以下、「本件発明１、２」という。）
　　　　　　　　　　　
２．異議申立ての理由の概要
　異議申立人は、下記に示す甲第１〜１０号証を提出し、「本件発明１、２は、甲第１号証又は甲第２号証に記載された発明と同一であり、また、甲第１号証及び甲第３〜１０号証に記載された発明に基づいて当業者が容易に発明をすることができたものであるから、特許法２９条１項３号又は同条２項又は同法２９条の２の規定により特許を受けることができないものである。さらに、本件特許請求の範囲の記載及び発明の詳細な説明の記載は不明瞭であり、特許法３６条４項もしくは６項に規定の要件を満たしていない。よって、本件発明１、２に係る特許は取り消されるべきものである」と主張している。
　　　　　　　　　　　
　甲第１号証：実公平７−５８７号公報（公告日：平成７年１月１１日）
　甲第２号証：特開平７−１８９４６５号公報（公開日：平成７年７月２８日）
　甲第３号証：特開平１−１３３５１３号公報
　甲第４号証：特開平１−１３３５１４号公報
　甲第５号証：実願昭６３−１２６８５４号(実開平２−４９３１１号)のマイクロフィルム　
　甲第６号証：特開平４−２４４７１５号公報
　甲第７号証：特開平４−２４４７１６号公報
　甲第８号証：特開平７−８７６５４号公報（公開日：平成７年３月３１日）
　甲第９号証：実公平５−１８４３４号公報
　甲第１０号証：実願昭６２−８３８３５号(実開昭６３−１９２５３９号)のマイクロフィルム　
　　　　　　　　　　　
　なお、異議申立人は、本件出願は、分割要件を満たしておらず、分割不適法であることも主張しているが、分割要件の判断は、出願日の遡及の効果を決定するもので、特許を取り消すべき理由とはならず、異議申立ての理由としては採用されないものである。
　しかし一応、本件出願の分割要件についての判断を示しておくと、原出願の明細書又は図面の記載との照合の結果、本件発明１、２は、原出願の明細書又は図面に記載された発明の一部であり、本件出願の明細書又は図面が、原出願の出願当初の明細書又は図面に記載した事項の範囲内でないものを含んでいない等、本件出願は、分割の要件を満たすものであると認められる。
　　　　　　　　　　
３．甲各号証に記載の事項
　甲第１号証(実公平７−５８７号公報)には、「配線用フロアパネル装置」に関して、
　「【請求項１】所定の間隔を置いて配置した配線溝形成用ブロック相互を可撓性部分で結合して、ブロックとブロックの間に可撓性部分を底とする配線溝を形成し、その配線溝の上面開口を、その開口縁に設けた段部に落とし込み式にはまるカバー板で覆ってパネルの上面を平らに構成する配線用フロアパネル装置において、カバー板は、略十字形のカバー板および／または屈曲破断可能の脆弱部を有する略方形のカバー板であって、パネルは、上記略十字形カバー板および／または略方形カバー板の端部あるいは略方形カバー板の脆弱部に当たる位置で、配線溝の長さ方向に対し直交する方向に切断可能に構成されている配線用フロアパネル装置。」（実用新案登録請求の範囲）、
　「第１図は配線溝を十字状に設けたフロアパネル装置Ｐの１ユニットを示しており、正方形（一辺は４０乃至６０ｃｍ）可撓性シート１の表面の四隅に配線溝形成用ブロック２を貼付け固着して、そのブロック２とブロック２の間に可撓性シート１を底とする配線溝３を十字形に形成している。配線溝３の上面開口は、その交差部を覆う略十字形カバー板４と、直線部を覆う４枚の略方形カバー板５で覆われている。略十字形カバー板４および略方形カバー板５は、配線溝３の開口縁に設けた上記カバー板の厚さ分の段差を有する段部８に落とし込み式にはまって、カバー板４・５の上面と配線溝形成用ブロック２の上面を同一平面に揃えている。」（４欄３７〜５０行）
の記載があり、これらの記載を含む明細書全体の記載および図面からみて、甲第１号証には、
「可撓性シート１の表面の四隅に固着配置された配線溝形成用ブロック２と、該配線溝形成用ブロック２間に十字型に配置される、可撓性シート１を底とする配線溝３とで構成されて成るフロアパネル装置Ｐ」という発明が記載されているものと認める
　　　　　　　　　　　　　　
　甲第２号証(特開平７−１８９４６５号公報)には、「二重床ユニット」に関して、
　「【０００８】二重床ユニット１は、ユニット基体２と、ユニット基体２に着脱可能に装着された複数のパネル片３とからなる。ユニット基体２は合成樹脂材料で構成され、仮想平面上に互いに間隔をおいて配置された複数の支柱２０と、隣り合う支柱２０をそれぞれ一体的に連結する可撓性の連結部材２１とを有し、支柱２０と連結部材２１とによって全体として方形の枠体が形成されると共に、この枠体の内部に支柱２０と連結部材２１とで画成される方形の小枠部２２が複数形成されている。」、
　「【０００９】各支柱２０には、ほぼ直角に屈曲した４枚の縦壁２３によって４つの挿入溝２４が画成され、これらの挿入溝２４の内部にはそれぞれ係止爪２５が配置されている。縦壁２３と係止爪２５は支柱２０に一体的に形成されている。支柱２０は全体として円筒形をなし、縦壁２３はこの円筒形の内部を区切るような構成となっている。また、連結部材２１は可撓性の合成樹脂で薄板状に形成され、可撓性を増大させるため、必要に応じて長孔２６を形成する。更に、支柱２０には縦横にスリット２７が形成され、これにより支柱２０も屈曲可能になって床面の不陸に対応できるようになっている。また、支柱２０及び連結部材２１は小枠部２２単位でカッターナイフ等によって容易に切断することが可能であり、これによって二重床ユニット１を施工現場で適当な大きさにすることができる。」、
　「【００１０】パネル片３は四隅部にそれぞれ脚３０を一体形成した合成樹脂材料で構成され、これらの脚３０をユニット基体２の小枠部２２の四隅部にある挿入溝２４にそれぞれ弾発的に挿入してユニット基体２に装着される。脚３０の内側には、それぞれ、係止爪３１が形成され、脚３０を挿入溝２４に挿入したとき、係止爪２５、３１が互いに係合して、パネル片３の脱落を防止するようになっている（図１０を参照のこと）。このようにして各パネル片３は小枠部２２の支柱２０にそれぞれ着脱可能に係合し、小枠部２２の開口部を個別に閉塞することになる。図１の実施例では、一つのユニット基体２に九つのパネル片３が装着されている。」、
　「【００１４】そして、各二重床ユニット１は、図９及び図１１に示すように、任意位置のパネル片３を取り外して配線器具プレート８を取り付け、この配線器具プレート８にポップアップ式のコンセント９を取り付けることができる。したがって、コンセント９の取り付け位置を自由に選択することができる。・・・」
の記載があり、これらの記載を含む明細書全体の記載および図面からみて、甲第２号証には、
「表面にコンセント９を取付ける取付孔が設けられている配線器具プレート８の外形が、パネル片３の外形と同じ大きさとなっており、パネル片３のいずれか１つと配線器具プレート８とが入れ替え可能となっている二重床ユニット１のコンセント９の取付け構造」という発明が記載されているものと認める
　　　　　　　　　　　　　　
　甲第３号証(特開平１−１３３５１３号公報)には、「二重床用ボックス」に関して、
　「この発明の一実施例を第１図ないし第３図に基づいて説明する。この二重床用ボックス１は、ボックス本体２と、このボックス本体２の上面開口１１を閉じる上面カバー３とを備え、ボックス本体２内に底部から上面カバー３まで延びる立上補強材４を設けたものである。ボックス本体２は上面が開口し、その開口１１の周縁にフランジ２ａが設けてある。開閉カバ−３は下面のフランジ３ａでボックス本体２のフランジ２ａに載せられる。立上補強材４は仕切り板からなり、ボックス本体２の内部を２箇所の収納スペース５，６に分割している。この二重床用ボックス１は、たとえば分電盤に用いられ、両収納スペース５，６には強電機器および弱電機器が各々別に収納される。第２図に示すように、立上補強材４の取付けは、ボックス本体２のフランジ２ａに設けた切欠９と支持片１０に設けた切欠１０ａとに差し込むことにより行う。この二重床用ボックス１は、第１図および第３図に示すように、ブロック床材７を下層床８上に敷き詰めてなる二重床に用いられるものであり、１個のブロック床材７と同じ大きさに形成してある。ブロック床材７および二重床用ボックス１の上面にはカーペット（図示せず）が敷かれる。」（２頁左上欄１６行〜右上欄１９行）の記載がある。
　　　　　　　　　　　　　　　　
　甲第４号証(特開平１−１３３５１４号公報)には、「二重床用ボックス」に関して、
　「この発明の第１の実施例を第１図ないし第３図に基づいて説明する。この二重床用ボックスは、ボックス本体１に対してその上面の開口３を閉じる複数種の取り換え可能な上面カバー２，２′を準備したものである。ボックス本体１は、電気機器を収納するものであり、上縁内側に突出したフランジ１ａの間で開口３が形成してある。上面カバー２は、枠体４とこの枠体４の開口４ａに嵌合する開閉カバー５とからなる。開口４ａ内にはフランジ４ｂが突出しており、開閉カバー５はフランジ４ｂに載せられる。枠体４の下面の四隅には脚６が突設してある。開閉カバー５には把手１０が設けてある。上面カバー２′は、枠体４′と前記開閉カバー５とで構成される。枠体４′は枠体４とは外周の大きさのみを異ならせたものであって、開口４ａは枠体４のものと同じ大きさであり、開口４ａには上面カバー２の開閉カバー５が用いられる。この二重床用ボックスは、第２図および第３図に示すように、ブロック床材７を下層床面８上に敷き詰めてなる二重床に用いられるものであり、上面が床面となる。ブロック床材７および二重床用ボックスの上面にはカーペット９が敷かれる。同図は小さい方の上面カバー２を使用した状態であり、上面カバー２の枠体４の外形は、ブロック床材７のモジュールと同じに形成してある。第１図の大きい方の上面カバー２′の枠体４′は、ブロック床材７と異なるモジュールのブロック床材に合わせて形成する。例えば、上面カバー２の外形は、４５０ｍｍ平方とし、上面カバー２′の外形は６００ｍｍ平方とする。この構成によると、ボックス本体１に取り換え可能に載せられる２種の大きさの上面カバー２，２′を準備したので、ブロック床材７のモジュールに合わせた上面カバー２，２′を選んで使用することにより、二重床への設置が簡単に行える。ボックス本体１は床面に露出しないので、各モジュールに対して同じものを共用でき、したがって部品共通化が図れる。また、開閉カバー５もモジュールが変わっても同じものを用いることができ、部品共通化が図れる。そのため、生産性が向上する。上面カバー２，２′は開閉カバー５が開閉可能であるため、開閉の必要なスイッチやブレーカ等の電気機器をボックス本体１に収納できる。」（２頁左上欄１６行〜左下欄１９行）の記載がある。
　　　　　　　　　　　　　　
　甲第５号証(実願昭６３−１２６８５４号(実開平２−４９３１１号)のマイクロフィルム)には、「フリーアクセスフロア用配線引出装置」に関して、
　「第６図にみる新しいタイプのフリーアクセスフロアが提案された。これは置敷きタイプともいわれ、樹脂材料からなる多数個のブロック１…とその上に敷設されるカーペット（表面仕上材）２…からなっている。各ブロック１は、上部の座部１ａが上からみて正方形の板状部分になっているとともに、下部は、前記座部１ａの底部各コーナーから下向きに４本の脚部１ｂ…が突出していて、これら脚部１ｂ…間が四方に開放状の空間３になっている。これらのブロック１…は、互いに少しの間隔が空くようにして床下地４の上になじむように縦横多数個敷設される。これにより、本来の床下地４上に別の床が構成される。前記各カーペット２は、５０ｃｍ角程度のシートでなり、たとえば、縦横とも３列づつで合計９個を１組とするブロック１…の上に敷設されるようになっている。この方式であると、９個を１組とするブロック１…の上にカーペット２を接着してユニット化しておき、このユニットの複数を床下地４の上に単に敷き並べるだけで施工が完成するので、従来のように、アジャスタの設置やそれらのレベル調節、ならびに、床板たる床パネルの敷設を別途行なう必要がなくなって、工事が非常に簡易化し、その結果、短期間のうちに床構造を完成することができるようになる。ところで、前記フリーアクセスフロアには、第６図ないし第１１図にみるような配線引出装置（ＵＰＳユニットとも称されることがある）が同フロアの平面一部に形成された空間を利用して組み込まれるようになっている。この装置は、下部のべース１０と上部のカバー１１を備えている。前記ベース１０は上方に開口した低い箱で形成され、その内部には、端子台１２、電子回路ブロック１３およびバッテリ１４等の必要な部品が組み込まれ、前記端子台１２には、ブロック１…の下部空間３…を通って導かれるコード１５が接続されるようになっている。前記ベース１０は、下方に向けて開口した低い箱からなっており、その上面コーナーには通孔１６が開口しているとともに、同通孔１６の内周部分は、下方へ向けて打ち返し状にされた側壁１７…が設けられている。これら側壁１７…の１つにはコンセント（配線接続具）１８が取付けられていて、床上からの配線（図示省略）が接続されるようになっている。同カバー１１は前記ベース１０から分離可能になっている。前記ベース１０は、ブロック１…およびカーペット２で構成される１ユニットよりも少し狭い平面を有するが、カバー１１の方は、前記ユニットとほぼ同一の平面になっていてフリーアクセスフロアで形成される空間内に合致し、その上面に敷設されるカーペット２を外周縁に亘るまで全面的に受け持つようになっている。」（３頁６行〜５頁１８行）の記載がある。
　　　　　　　　　　　　　　　　
　甲第６号証(特開平４−２４４７１５号公報)には、「アクセスフロア用接続器」に関して、
　「【００１６】以上に説明したように、本願発明によれば、アクセスフロアブロック８０の一ユニット８０’と略同じ寸法，高さのベースブロック８と、このベースブロック８の凹部８１にフロア表面に露出する露出部９１を除いてはまりこむ本体ブロック９とよりなり、前記ベースブロック８に本体ブロック９を装着する案内手段１９を設けたので、ベースブロック８がアクセスフロアブロック８０の一ユニット８０’と略同じ寸法であるからアクセスフロアに対して方向が定められ、本体ブロック９が前記案内手段１９によりベースブロック８に方向及び位置を定められて装着されるので、従来例の如く、方向がばらばらになることはない。」（３欄３９〜５０行）の記載がある。
　　　　　　　　　　　　　　　
　甲第７号証(特開平４−２４４７１６号公報)には、「アクセスフロア用接続器の構造」に関して、
　「【００１７】以上に説明したように、本願発明によれば、アクセスフロアブロック８０の一ユニット８０’と略同じ縦，横，高さ寸法のベースブロック８と、このベースブロック８の凹部８１にフロア表面に露出する露出部９１を除いては前記ベースブロックの凹部に該ベースブロックと略同じ高さ寸法まで嵌まり込む本体ブロック９とよりなり、前記本体ブロックはプレート部４と，この本体ブロック３の表面から出没可能にした接続部７とを少なくとも備え、この接続部７は，市販の屋内配線器具を装着固定して接続器とする枠部を備えるようにしたので、枠部は一種類か二種類で接続器部分は各種の組み合わせ，例えば電力用接続器２個のもの，電力と電話の接続器のもの，……等いくつもの組み合わせが自由に出来る」（４欄９〜２３行）の記載がある。
　　　　　　　　　　　　　　　　
　甲第８号証(特開平７−８７６５４号公報)には、「配線器具付き二重床用パネル及び配線器具付き二重床用パネルによる床配線方法」に関して、
　「【００１６】配線器具付き二重床用パネルＡは、図４に示されるように複数個のパネル単体１４を組み合わせて形成された例えば、５００×５００ｍｍまたは６００×６００ｍｍ等の大きさの単位体１５に開口８を設け、この開口８に配線器具６を嵌め込み、単位体１５の上面に仕上げ材９としてのタイルカーペットを敷設して主体が構成されている。ここで、必要に応じて配線器具６の上部に設置される器具カバー２３の上面にも仕上げ材９としてのタイルカーペットが敷設される。単位体１５を構成するパネル単体１４は支持板１４ａの４隅より支持脚１を一体に突設して構成されており、所定の部位のパネル単体１４を取り除いた状態とすることで単位体１５には開口８が形成されている。この開口８は中央部に位置するパネル単体１４を取り除くと共に対向するパネル単体１４間に形成されている。開口８が形成された部位において対向するパネル単体１４の対向端部には凹段部１６が凹設されており、この凹段部１６が凹設されたパネル単体１４によって配線器具６を支持するための支持パネル単体２０が形成されている。支持パネル単体２０に凹設される凹段部１６は図７に示されるように配線器具６より突設された取付片１７が上面側に突出したりするようなことなく嵌着することができるように取付片１７の巾寸法及び厚み寸法に対応させて凹設されている。【００１７】開口８に取付けられる配線器具６は受け箱状のボックス２１内に電気機器２２を設置して構成されている。」（４欄３６行〜５欄１１行）の記載がある。
　　　　　　　　　　　　　　　　　　　　　
　甲第９号証(実公平５−１８４３４号公報)には、「配線用フロアパネル」に関して、
　「偏平な４個の正方形ブロツク１を、隣り合うブロツク間に配線溝を形成するための所定の間隔ｌを置いて正方形の各隅の内側に位置するように配置している。そして隣り合うブロツク１の下端部相互を全面にわたつてシート状の連結部２でつないで一体化して、そのシート状連結部２を底とする十字形配線溝３を有する正方形のフロアパネルＰを構成している。そのパネルＰは一辺が３０〜６０ｃｍの大きさに設定する。上記各正方形ブロツク１は、複数個の略立方体形小片駒４を縦横平面状に配置し、駒相互間に微小間隙Ｓを置いて小片駒４の側面の下端部相互を薄肉連結部５で結合した小片駒４の集合体によつて構成されている。」（３欄４４行〜４欄１４行）の記載がある。
　　　　　　　　　　　　　　　　
　甲第１０号証(実願昭６２−８３８３５号(実開昭６３−１９２５３９号)のマイクロフィルム)には、「配線用フロアパネル」に関して、
　「上面が無模様の偏平な４個の正方形ブロック１を、隣り合うブロック間に配線溝を形成するための所定の間隔ｌを置いて正方形の各隅の内側に位置するように配置している。そして隣り合うブロック１の下端部相互を帯状の連結部２でつないで一体化して、その連結部２を底とする十字形配線溝３を有する正方形のフロアパネルＰを構成している。そのパネルＰは一辺が３０〜６０ｃｍの大きさに設定する。上記配線溝３の底となる連結部２は、帯状のものに限定するものではなく、第４図のように溝底の全面にわたって設けることもある。各正方形ブロック１は、第２図・第３図に示すように中空で下面が開放しており、その天井に、リブ４を十字状に設けて補強している。また各正方形ブロック１の各側面の中央部に下辺側に開いた略半円形の切欠部５が設けられており、フロアパネルＰの裏面に、各正方形ブロック１の共通位置の切欠部５を通じて、フロアパネルＰの対応２側面間を連通するトンネル形の配管溝６が井げた状態に形成されている。」（６頁３行〜７頁３行）、
　「第６図は、前記第１図および第４図の実施例における配線溝形成用の各正方形ブロック１を、中空で下面が開放している複数個の略立方体形小片駒１Ａの集合体によって構成した他の実施例である。上記複数個の小片駒１Ａは、縦横平面状に配置され、第７図の拡大縦断面図に示すように、駒相互間に微小間隙Ｓを置いて、その小片駒１の側面の下端部相互を薄肉連結部１４で連結され、配管溝設定位置に当る各小片駒１Ａの対応２側面に切欠部５を設けている。」（１１頁６〜１６行）の記載がある。
　　　　
４．対比・判断
　　　　　　　　　　　　　　　
（特許法２９条１項及び２項について）
　本件発明１と甲第１号証に記載された発明とを対比すると、
甲第１号証に記載された発明の「配線溝形成用ブロック２」、「配線溝３」、「フロアパネル装置Ｐ」は、本件請求項１に係る発明の「平板ブロック」、「配線用溝」、「フロアパネル」に相当するから、本件請求項１に係る発明と甲第１号証に記載された発明とは、
「四隅に配置された平板ブロックと、該平板ブロック間に十字型に配置される配線用溝とで構成されて成るフロアパネル」である点で一致しているが、以下の点で相違している。
　相違点（１）：フロアパネルが、四隅に配置された平板ブロックのほかに、本件発明１は、中央の十字型部分に配置される配線用溝を有するクロスブロック及びストレートブロックとで構成され、平板ブロック、クロスブロック及びストレートブロックを夫々同じ大きさとしているのに対して、甲第１号証に記載された発明は、可撓性シートを底として、配線溝を十字形に形成している点、
　相違点（２）：本件発明１は、表面に接続器を取付ける取付孔が設けられている接続器取付けベースの外形が、各ブロックの外形と同じ大きさとなっており、各ブロックのいずれか１ブロックと接続器取付けベースとが入れ替え可能となっているフロアパネルの接続器の取付け構造であるのに対して、甲第１号証に記載された発明は、そのような事項を具備していない点。
　そこで、上記相違点について検討する、
　相違点（１）について
　フロアパネルを、四隅に配置された平板ブロックと、中央の十字型部分に配置される配線用溝を有するクロスブロック及びストレートブロックとで構成し、平板ブロック、クロスブロック及びストレートブロックを夫々同じ大きさとしたことは、甲第３号証〜甲第１０号証のいずれにも、記載されていない。
　そして、本件発明１は、相違点（１）における事項を具備することにより、甲第１号証及び甲第３号証〜甲第１０号証に記載された発明からは期待できない効果を奏するものと認められる。
　したがって、相違点（２）について検討する迄もなく、相違点（１）により、本件発明１は、甲第１号証に記載された発明と同一であるとも、甲第１号証及び甲第３〜１０号証に記載された発明に基づいて当業者が容易に発明をすることができたものであるとすることもできない。
　また、本件発明２も本件発明１を引用するものであり、上記判断により、甲第１号証に記載された発明と同一であるとも、甲第１号証及び甲第３〜１０号証に記載された発明に基づいて当業者が容易に発明をすることができたものであるとすることもできない。
　　　　　　　　　　　　　　　
（特許法第２９条の２について）　
　本件発明１と、本件出願日前の他の出願であって、本件出願後に出願公開された特願平５−３３２７７９号の願書に最初に添付した明細書又は図面（特開平７−１８９４６５号公報、甲第２号証）に記載された発明（以下、「先願発明」という）とを対比すると、
　先願発明の「パネル片３」、「二重床ユニット１」、「コンセント９」、「配線器具プレート８」は、本件発明１の「ブロック」、「フロアパネル」、「接続器」、「接続器取付けベース」に対応するから、本件発明１と先願発明とは、
「表面に接続器を取付ける取付孔が設けられている接続器取付けベースの外形が、ブロックの外形と同じ大きさとなっており、ブロックのいずれか１つと接続器取付けベースとが入れ替え可能となっているフロアパネルの接続器の取付け構造。」である点で一致しているが、以下の点で相違している。
　相違点（３）：本件発明１は、四隅に配置された平板ブロックと、中央の十字型部分に配置される配線用溝を有するクロスブロック及びストレートブロックとで構成されて成るフロアパネルであって、平板ブロック、クロスブロック及びストレートブロックは夫々同じ大きさを有しているのに対して、先願発明は、かかる事項を具備していない点。
　そして、本件発明１は、相違点（３）に係る事項を具備することにより、先願発明からは期待できない効果を奏するものと認められる。
　したがって、相違点（３）により、本件発明１は、先願発明と同一であるとすることができない。
　また、本件発明２も本件発明１を引用するものであり、上記判断により、先願発明と同一であるとすることができない。
　　　　　　　　　　　　　　　　
（特許法第３６条４項又は６項について）
　本件の訂正された明細書において、発明の詳細な説明の記載は、当業者が本件発明１、２の実施をすることができる程度に明確かつ十分に記載されていると認める。
　また、特許請求の範囲の記載も、本件発明１、２が発明の詳細な説明に記載されたものであること、本件発明１、２が明確であること、請求項ごとの記載も簡潔であることを満たすものと認める。
　　　　　　　　　　
５．むすび　
　以上のとおりであるから、特許異議の申立ての理由及び証拠方法によっては、本件発明１、２についての特許を取り消すことはできない。
　また、他に本件発明１、２についての特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年７月９日（２００２．７．９）
【訂正の要旨】
　訂正の要旨（特許第３１４５９０３号）
明りょうでない記載の釈明および誤記の訂正を目的として、訂正事項ａ〜ｎのように訂正する。
訂正事項ａ．段落【０００２】を、
「【発明が解決しようとする課題】本発明は、フロアパネルにおいて、フロアパネルを構成するブロックと接続器が取付けられる接続器取付けベースとの間に互換性を持たせることを課題とする。」と訂正する。
訂正事項ｂ．段落【０００７】を削除する。
訂正事項ｃ．段落【０００８】を、
「フロアパネル１は、図１に示すように、四隅に配置される平板ブロック７と、中央の十字型部分に配置される配線用溝３を有するクロスブロック８及びストレートブロック９とで構成され、各ブロック７〜９の上端縁が薄肉部１０を介して互いに連設されている。尚図１では４枚の平板ブロック７と１枚のクロスブロック８と４枚のストレートブロック９とでフロアパネル１が構成されているが、これに限らず、多数のブロック７〜９が縦横格子状に並設されるものであってもよい。」と訂正する。
訂正事項ｄ．段落【０００９】を、
「上記クロスブロック８及びストレートブロック９の各配線用溝３の上方の開□には、図２に示す溝カバー１１が着脱自在に装着される。溝カバー１１は、クロスブロック８に対応するクロスカバー１１Ａと、ストレートブロック９に対応するストレートカバーｌＩＢとからなっている。」と訂正する。
訂正事項ｅ．段落【００１０】〜【００１６】を削除する。
訂正事項ｆ．段落【００１７】を、
「本発明の実施の形態として、フロアパネル１を構成する各ブロック７〜９のいずれかと入れ替え可能な接続器取付けベース４Ａを説明する。」と訂正する。
訂正事項ｇ．段落【００１８】を、
「図３に示すように、フロアパネル１を構成する平板ブロック７、クロスブロック８、及びストレートブロック９は、図１の場合と同様であり、各ブロック７〜９は夫々同じ大きさを有しており、一方、接続器取付けベース４Ａは、接続器１３を取付ける取付孔１７を有すると共に、接続器取付けベース４Ａの外形は、各ブロック７〜９の外形と同じ大きさとなっており、各ブロック７〜９と接続器取付けベース４Ａとの間で互換性を持たせてある。つまり、平板ブロック７は天板７ａの下面四隅に脚部７ｂが垂設されて構成され、ストレートブロック９は、上方に開口した配線用溝３の両側に脚部９ａが立設されて構成され、クロスブロック８は、上方に開□した配線用満３の周辺４隅に脚部８ａが立設されて構成され、各ブロック７〜９の表面部は夫々同一高さに設定してある。一方、接続器取付けベース４Ａは天板４ｂの下面両側に脚部４ｃが垂設されて構成され、この脚部４ｃは各ブロック７〜９の脚部７ｂ，８ａ，９ａと同じ突出高さに設定され、さらに接続器取付けベース４Ａの平面視外形寸法は各ブロック７〜９を平面視外形寸法と同一に設定されており、各ブロック７〜９のいずれか１ブロックと接続器取付けベース４Ａとが自由に入れ替え可能な構造となっている。またフロアパネル１の各ブロック７〜９は薄肉部１０を介して互いに連設されているので、いずれかのブロック７〜９を取外す際には薄肉部１０に沿って簡単に切断できるので、接続器取付けベース４Ａとの入れ替えが容易となる。」と訂正する。
訂正事項ｈ．段落【００１９】を、
「また接続器取付けベース４Ａの中央には、接続器１３が取付け可能な取付孔１７が設けられており、この取付孔１７に取付けられる接続器１３は、図４に示すように、床用コンセント１２と、この床用コンセント１２が取付けられる本体１５と、この本体１５の上部開口を開閉する蓋１６ａ付きプレート１６とから成る。また、接続器取付けベース４Ａは、図５（ａ）に示すように、ネジ３１にて床スラブに固定されるようになっているが、これに代えて、図５（ｂ）に示すように、接続器取付けベース４Ａの外側面に周囲のブロック７〜９との間隔を保つための間隔保持手段４０を構成するリブ４０ａを突設してもよい。このリブ４０ａは、図６に示すように、ブロック７〜９のいずれかを取外した空間に接続器取付けベース４Ａを蕨入させたとき、周囲のブロック７〜９の脚部の側面に当接してブロック７〜９と接続器取付けベース４Ａとの間の間隔を一定に保つものであり、更に周囲のブロック７〜９の上部側端部の下面に掛合して接続機器取付けベース４Ａをブロック７〜９に対して固定する働きをするものであり、隣接するブロックとの緩衝を防止しつつ、ネジが不要で、簡易に接続器取付けベース４Ａを固定できるものである。」と訂正する。
訂正事項ｉ．段落【００２０】を、
「尚、接続器取付けベース４Ａの取付孔１７の周辺四隅に図８（ａ）に示すように、カーペット２０ａの切断位置決め用の突起５を突設させ、切断治具６を図７に示すように、突起５間に位置決め保持できるようにし、且つ図９に示すように、切断治具６を用いない場合にはカーペット２０ａの裏面に突起５の跡形５ａを転写させ、この跡形５ａに沿ってカーペット２０ａを切断できるようにした。また、図８（ｂ）に示すように、接続器取付けベース４Ａの取付孔１７の四隅に加えて四隅をつなぐ直線部にも突起５を追加してもよく、この場合、図１０（ａ）（ｂ）又は（ｃ）のように突起５による跡形５ａが増え、複数枚にわたるカーペット２０ａの切断が容易となる。」と訂正する。
訂正事項ｊ．段落【００２１】を、
「しかして、接続器取付けベース４Ａは、フロアパネル１の各ブロック７〜９と互換性があるので、フロアパネル１のあらゆる箇所に接続器取付けベース４Ａを取付けることができ、フロアパネル１のどの箇所にも床用コンセント１２の取付けができると共に、レイアウト変更が自由自在に行えるものである。しかも、各ブロック７〜９と互換性がある接続器取付けベース４Ａに設けられる取付孔１７は、共通の接続器１３を使用でき、施工現場での部品の着脱等に即応できると共に、製造時においては、部品の共通化及び構造の共通化ができ、部品の在庫が減り、製造工程の合理化を図ることができる。しかも、各ブロック７〜９と互換性のある接続器取付けベース４Ａは床スラブに載置される脚部４ｃを備えているので、従来のような下方に脚部が突出し、表面側に配線用溝３が凹設された置き敷きタイプのフロアパネルにも広く適用可能である。そのうえ配線はフロアパネル１の配線用溝３内に納められているので、接続器取付けベース４Ａをフロアパネル１の各ブロック７〜９の一部に組込んだ場合でも、接続器取付けベース４Ａの脚部４ｃで配線を踏みつける心配がなく、レイアウト変更を安全に行えるという利点がある。」と訂正する。
訂正事項ｋ．段落【００２２】〜【００２６】を削除する。
訂正事項１．【図面の簡単な説明】を、
「【図１】本発明の実施の一形態を説明するフロアパネルの斜視図である。
　【図２】（ａ）はクロスカバーの斜視図、（ｂ）はストレートカバーの斜視図である。
　【図３】本発明の実施の形態を説明する分解斜視図である。
　【図４】（ａ）〜（ｃ）は同上の接続器及び接続器取付けベースの取付け状態を説明する斜視図である。
　【図５】（ａ）は同上の接続器取付けベースの床スラブへの取付け状態を説明する斜視図、（ｂ）は他の取付け状態を説明する斜視図である。
　【図６】図５（ｂ）の接続器取付けベースの取付け状態を説明する側面図である。
　【図７】（ａ）（ｂ）は同上の切断治具の取付け状態を説明する斜視図である。
　【図８】（ａ）は同上の接続器取付けベースの突起を説明する斜視図、（ｂ）は突起を追加した場合を説明する斜視図である。
　【図９】（ａ）（ｂ）（ｃ）は同上のカーペットの切断方法を説明する斜視図である。
　【図１０】（ａ）（ｂ）は同上のカーペットの切断方法を説明する斜視図、（ｃ）は他の切断方法を説明する斜視図である。」と訂正する。
訂正事項ｍ．添付図面の
「図１」、「図４」〜「図９」、「図１８」〜「図２４」を削除し、
「図２」を「図１」と訂正し、「図３」を「図２」と訂正し、「図１０」を「図３」と訂正し、「図１１」を「図４」と訂正し、「図１２」を「図５」と訂正し、「図１３」を「図６」と訂正し、「図１４」を「図７」と訂正し、「図１５」を「図８」と訂正し、「図１６」を「図９」と訂正し、「図１７」を「図１０」と訂正する。
訂正事項ｎ．訂正後の添付図面「図３」におけるストレートブロック９の脚部の符号「８ａ」を「９ａ」と訂正し、平板ブロック７の脚部の符号「８ａ」を「７ｂ」と訂正し、クロスブロック８の脚部の符号「９ａ」を「８ａ」と訂正する。
（５４）【発明の名称】
フロアパネルの接続器の取付け構造
（５７）【特許請求の範囲】
　【請求項１】　四隅に配置された平板ブロックと、中央の十字型部分に配置される配線用溝を有するクロスブロック及びストレートブロックとで構成されて成るフロアパネルであって、平板ブロック、クロスブロック及びストレートブロックは夫々同じ大きさを有しており、表面に接続器を取付ける取付孔が設けられている接続器取付けベースの外形が、上記各ブロックの外形と同じ大きさとなっており、上記各ブロックのいずれか１ブロックと接続器取付けベースとが入れ替え可能となっていることを特徴とするフロアパネルの接続器の取付け構造。
　【請求項２】　フロアパネルの各ブロックは薄肉部を介して互いに連設されていることを特徴とする請求項１記載のフロアパネルの接続器の取付け構造。
【発明の詳細な説明】
　【０００１】
　【発明の属する技術分野】
　この発明は、フロアパネルの接続器の取付け構造に関する。
　【０００２】
　【発明が解決しようとする課題】
　本発明は、フロアパネルにおいて、フロアパネ
ルを
るブ
とす
　【０００３】
　【課題を解決するための手段】
　上記課題を解決するために、本発明のうちで請求項１記載の発明は、四隅に配置された平板ブロック７と、中央の十字型部分に配置される配線用溝を有するクロスブロック８及びストレートブロック９とで構成されて成るフロアパネルであって、平板ブロック７、クロスブロック８及びストレートブロック９は夫々同じ大きさを有しており、表面に接続器１３を取付ける取付孔１７が設けられている接続器取付けベース４Ａの外形が、上記各ブロック７〜９の外形と同じ大きさとなっており、上記各ブロック７〜９のいずれか１ブロックと接続器取付けベース４Ａとが入れ替え可能となっていることを特徴としており、このように構成することで、各ブロック７〜９のいずれか１ブロックと接続器取付けベース４Ａとが自由に入れ替え可能な構造となる。
　【０００４】
　請求項２記載の発明は、請求項１記載のフロアパネル１の各ブロック７〜９は薄肉部１０を介して互いに連設されていることを特徴としており、このように構成することで、フロアパネルを構成する各ブロック７〜９のうち、いずれかのブロックを取外す際には薄肉部１０に沿って簡単に切断でき、接続器取付けベース４Ａとの入れ替えが容易となる。
　【０００５】
　【０００６】
　【０００７】
　【発明の実施の形態】
　【０００８】
　フロアパネル１は、図
１
１
　【０００９】
　上記クロスブロック８及びストレートブロック９の各配線用溝３の上方の開口には、図
２
らな
　【００１０】
　【００１１】
　【００１２】
　【００１３】
　【００１４】
　【００１５】
　【００１６】
　【００１７】
　本発明の実施
の形
、フ
Ａを
　【００１８】
　図
３
１
、接
９
８
　【００１９】
　また接続器取付けベース４Ａの中央には
、接
４
５
５
６
　【００２０】
　尚、接続器取付けベース４Ａの取付孔１７の周辺四隅に図
８
７
９
た。
８
１０
　【００２１】
　しかして、接続器取付けベース４Ａは、フロアパネル１の各ブロック７〜９と互換性があるので、フロアパネル１のあらゆる箇所に接続器取付けベース４Ａを取付けることができ、フロアパネル１のどの箇所にも床用コンセント１２の取付けができると共に、レイアウト変更が自由自在に行えるものである。しかも、各ブロック７〜９と互換性がある接続器取付けベース４Ａに設けられる取付孔１７は
、共
　【００２２】
　【００２３】
　【００２４】
　【００２５】
　【００２６】
　【００２７】
　【発明の効果】
　以上説明したように、本発明のうち請求項１記載の発明は、四隅に配置された平板ブロックと、中央の十字型部分に配置される配線用溝を有するクロスブロック及びストレートブロックとで構成されて成るフロアパネルであって、平板ブロック、クロスブロック及びストレートブロックは夫々同じ大きさを有しており、表面に接続器を取付ける取付孔が設けられている接続器取付けベースの外形が、上記各ブロックの外形と同じ大きさとなっており、上記各ブロックのいずれか１ブロックと接続器取付けベースとが入れ替え可能となっているので、各ブロックのいずれか１ブロックと接続器取付けベースとが自由に入れ替え可能な構造となる。すなわち接続器取付けベースは、フロアパネルの各ブロックと互換性があるので、フロアパネルのあらゆる箇所に接続器取付けベースを取付けることができると共に、レイアウト変更が自由自在に行えるものであり、さらに配線を配線用溝内に納めることで、接続器取付けベースの脚部で配線を踏みつける心配がなく、レイアウト変更を安全に行えるものである。
　【００２８】
　また請求項２記載の発明は、請求項１記載のフロアパネルの各ブロックは薄肉部を介して互いに連設されているので、請求項１記載の効果に加えて、フロアパネルを構成するいずれかのブロックを取外す際には薄肉部に沿って簡単に切断できるので、接続器取付けベースとの入れ替えが容易となり、施工性を向上させることができる。
　【００２９】
　【００３０】
【図面の簡単な説明】
　【図
１
本発明の実施の一形態を説明する
　【図
２
はク
　【図
３
の形
　【図
４
　【図
５
　【図
６
５
　【図
７
　【図
８
　【図
９
　【図
１０
【図面】